(57)【要約】【課題】従来の擁壁用のコンクリートブロックにおいては、１つ１つの部材を小型化にすると共に、法面崩壊の防止を安定して維持すること。【解決手段】擁壁用のコンクリートブロックであって、正面パネルと、少なくとも２つの支持梁と、背面パネルとからなり、該正面パネルの背面側に少なくとも２つの連結部を形成し、該連結部のそれぞれに前記支持梁を連結させ、該連結させた支持梁と支持梁との間に前記背面パネルを配設させる構成にしたことにより、１つ１つの部材を小型化にすると共に、法面崩壊の防止を安定して維持することができる。【選択図】  図１
2004308269.tif 000002
【特許請求の範囲】
【請求項１】
擁壁用のコンクリートブロックであって、
正面パネルと、少なくとも２つの支持梁と、背面パネルとからなり、
該正面パネルの背面側に少なくとも２つの連結部を形成し、
該連結部のそれぞれに前記支持梁を連結させ、
該連結させた支持梁と支持梁との間に前記背面パネルを配設させる構成にしたこと
を特徴とするコンクリートブロック。
【請求項２】
前記正面パネルと、支持梁とは、
下部側に対して上部側を後方に所定角度傾けて形成したこと
を特徴とする請求項１に記載のコンクリートブロック。
【請求項３】
前記正面パネルには、
上部側に位置合わせ用の凸部を形成させると共に、下部側に該凸部に対応した凹部を形成させたこと
を特徴とする請求項１または２に記載のコンクリートブロック。
【請求項４】
前記正面パネルは、
正面が割石模様に形成されていること
を特徴とする請求項１乃至３のいずれかに記載のコンクリートブロック。
【請求項５】
前記支持梁は、
略Ｌ字状であること
を特徴とする請求項１または２に記載のコンクリートブロック。
【請求項６】
前記支持梁には、
溝部を形成し、背面パネルをスライドさせて配設する構成にしたこと
を特徴とする請求項１、２または６に記載のコンクリートブロック。
【請求項７】
前記連結部は、
正面パネルの背面側に形成した脚部の一部を切り欠いて形成したこと
を特徴とする請求項１に記載のコンクリートブロック。
【発明の詳細な説明】
【０００１】
【発明の属する技術分野】
本発明は、例えば、河川の土手、崖または盛り土の側面等の法面に配設して、該法面が崩れるのを防ぐ擁壁用のコンクリートブロックに関するものである。
【０００２】
【従来の技術】
従来、河川の土手、崖または盛り土の側面等の法面の崩壊を防止する方法としては、例えば、該法面の表面側に、正面パネルとその背面側の胴部（支持部）とが一体的に形成された大型のブロックを複数配設して積み上げ、該大型のブロックの胴部に胴込コンクリートを打設して該法面の崩壊を防止する方法が用いられていた。
【０００３】
また、正面パネルとその背面側の胴部とを別部材とした擁壁用のブロックとしては、表面が乱れ石積み風に形成され、背面に少なくとも２本以上の脚控を具えるほゞ台形でかつ円弧状のブロック本体と同ブロック本体の背向部に上記脚控の張出し端から後方に設置される上記ブロック本体とほゞ同一幅の胴込め用尻蓋パネル及び上記脚控の上辺部に基部が取付けられその自由端で上記パネルの下縁と同パネルの上段に位置する胴込め用尻蓋パネルの下縁とを支承するセパレータとからなる擁壁ブロックがある（特許文献１参照）。
【０００４】
この特許文献１の公知技術においては、ブロック本体の脚控にワイヤ状の線であるセパレータを取り付け、その自由端にＨ字型の支承片を設け、該支承片によりパネルの上縁と該パネルの上に設置されるパネルの下縁とを支承するものである。
【０００５】
【特許文献１】
特開２００１−２６２５９３号公報（請求項１、第３頁）
【０００６】
【発明が解決しようとする課題】
しかしながら、前記大型のブロックを使用した従来技術においては、正面パネルと胴部とが一体的に形成されており、その１つ１つのブロックが大型であると共に、重量が嵩むため、小型の重機を使用して擁壁を構築することが困難であり、また、前記ブロックが一体に形成されていて嵩張るため、運搬作業も容易でないという問題点を有する。
【０００７】
また、前記特許文献１の公知技術においては、ワイヤ状のセパレータを使用して、ブロック本体とパネルとを支承しているため、コンクリート打設時等に該ブロック本体が後方、即ち、パネル側に倒れ込んだ場合には、該ブロック本体をワイヤ状のセパレータでは支承することができず、また、経時的に該ワイヤ状のセパレータが伸長して弛んだ場合には、該ワイヤ状のセパレータがブロック本体とパネルとの支承を維持できなくなるため、法面の崩壊を防止することができなくなるという問題点を有している。
【０００８】
従って、従来の擁壁用のコンクリートブロックにおいては、１つ１つの部材を小型化にすると共に、法面崩壊の防止を安定して維持するということに解決しなければならない課題を有している。
【０００９】
【課題を解決するための手段】
上記した従来例の課題を解決する具体的手段として本発明に係る第１の発明として、擁壁用のコンクリートブロックであって、正面パネルと、少なくとも２つの支持梁と、背面パネルとからなり、該正面パネルの背面側に少なくとも２つの連結部を形成し、該連結部のそれぞれに前記支持梁を連結させ、該連結させた支持梁と支持梁との間に前記背面パネルを配設させる構成にしたことを特徴とするコンクリートブロックを提供するものである。
【００１０】
この第１の発明においては、前記正面パネルと、支持梁とは、下部側に対して上部側を後方に所定角度傾けて形成したこと；前記正面パネルには、上部側に位置合わせ用の凸部を形成させると共に、下部側に該凸部に対応した凹部を形成させたこと；前記正面パネルは、正面が割石模様に形成されていること；前記支持梁は、略Ｌ字状であること；前記支持梁には、溝部を形成し、背面パネルをスライドさせて配設する構成にしたこと；前記連結部は、正面パネルの背面側に形成した脚部の一部を切り欠いて形成したこと；を付加的な要件として含むものである。
【００１１】
本発明に係るコンクリートブロックは、少なくとも２つの連結部を形成した正面パネルと、少なくとも２つの支持梁と、背面パネルとからなり、前記連結部のそれぞれに前記支持梁を連結させ、該支持梁と支持梁との間に前記背面パネルを配設させる構成であるため、１つ１つの部材を正面パネルと、支持梁と、背面パネルとに分割して小型・軽量化すると共に、これら正面パネルと、支持梁と、背面パネルとをコンクリートで形成したことにより、経時的な変化が安定し、法面崩壊の防止を安定して維持することができるようになる。
【００１２】
【発明の実施の形態】
次に、本発明を具体的な実施の形態に基づいて詳しく説明する。
本発明の第１の実施の形態に係るコンクリートブロックを図１〜図８を用いて説明する。図１には、コンクリートブロック１の略示的な斜視図を示してある。このコンクリートブロック１は、正面パネル２と、支持梁３ａ、３ｂと、背面パネル４とから構成されている。
【００１３】
支持梁３は、図１に示してあるように、少なくとも２つの支持梁３ａ、３ｂが正面パネル２の背面側に連結されており、該連結されたそれぞれの支持梁３ａ、３ｂの間に背面パネル４が配設されている。
【００１４】
つまり、正面パネル２に、例えば、３つ以上の支持梁が連結された場合には、該連結された支持梁と支持梁とのそれぞれの間に背面パネル４を配設させるのである。
【００１５】
これら正面パネル２と、支持梁３ａ、３ｂと、背面パネル４とは、いずれも所定の型枠等にコンクリートを打設して成型する。この際、該型枠にＰＣ鋼材等を配設させた状態でコンクリートを打設して成型し、前記正面パネル２と、支持梁３ａ、３ｂと、背面パネル４とのそれぞれの内部に該ＰＣ鋼材を埋設させても良い。
【００１６】
図２（ａ）には、正面パネル２の斜視図を示し、図２（ｂ）には、正面パネル２の側面図を示してある。正面パネル２の背面側には、少なくとも２本の脚部５が所定の間隔をもって形成されている。正面パネル２は、該脚部５を形成することにより、該正面パネル２を安定した状態で立たせることができると共に、該正面パネル２の強度を高くすることができる。
【００１７】
正面パネル２の背面側に形成された脚部５には、その上部側の一部を支持梁３ａ、３ｂの水平部６の厚さ（高さ）と略同程度の厚さ（高さ）で切り欠いた連結部７が形成されている。該連結部７には、ボルト用の穴部８が形成されている。
【００１８】
この連結部７は、正面パネル２に少なくとも２つ形成されていれば良いことから、必ずしも該正面パネル２の脚部５の一部を切り欠いて形成することに限定されるものではなく、また、該正面パネル２に脚部５を２本以上形成させる場合には、必ずしも全ての脚部５の一部を切り欠いて形成させなければならないものではない。この場合にも、前記連結部７は、正面パネル２の背面側に所定の間隔をもって形成させることが好ましい。
【００１９】
正面パネル２の上部側には、所定の間隔をもって位置合わせ用の凸部９を形成させると共に、該正面パネル２の下部側には、該凸部９に対応した凹部１０を形成させている。これら凸部９と凹部１０とは、例えば、図２に示したように、連結部７の近傍に形成させても良い。
【００２０】
このように、正面パネル２の上部側に位置合わせ用の凸部９を形成させ、下部側に該凸部９に対応した凹部１０を形成させることによって、該正面パネル２の上に他の正面パネル２を積み上げる際に、前記凸部９と凹部１０とを嵌合させることにより、該積み上げた正面パネル２を所定位置に容易に合わせて配設させることができると共に、それぞれの正面パネル２がズレないように係止することもできるのである。
【００２１】
図３（ａ）には、支持梁３ａの平面図を示し、図３（ｂ）には、支持梁３ａの側面図を示してある。なお、支持梁３ａ、３ｂとは、同一の部材であるため、代表して支持梁３ａについて説明し、支持梁３ｂについては、説明が重複するため、同一のものについては、同一の符号を付し、その詳細な説明については省略する。
【００２２】
支持梁３ａは、水平部６と、該水平部６の一端部側に形成された脚部１１とからなり、該水平部６と脚部１１とにより、支持梁３ａの全体は、略Ｌ字状に形成されている。
【００２３】
支持梁３ａの脚部１１の両側面には、該脚部１１の側面に沿って、該脚部１１と平行な溝部１２が形成されている。また、水平部６には、該脚部１１の他端部側にボルト用の孔部１３が穿設されている。
【００２４】
図４には、コンクリートブロック１の側面図を示してある。正面パネル２の背面側に形成された連結部７には、支持梁３ａ（支持梁３ｂも同様）の水平部６のボルト用の孔部１３が穿設された端部側を配設する。
【００２５】
正面パネル２の連結部７に設けられたボルト用の穴部８と、支持梁３ａ（支持梁３ｂも同様）の水平部６の端部側に穿設されたボルト用の孔部１３とは、該連結部７に水平部６の端部側を配設させた際に、該ボルト用の穴部８とボルト用の孔部１３とが略一直線状になるように形成されており、該連結部７に水平部６の端部側を配設させた状態で、前記ボルト用の孔部１３からボルト１９を挿入してて螺着させ、該ボルト用の孔部１３とボルト用の穴部８とを固定させることによって、該連結部７と水平部６の端部側とを係止・連結させることができる。
【００２６】
また、正面パネル２の連結部７に支持梁３ａの水平部６を連結させる方法は、前記ボルト１９による固定に限るものではなく、例えば、接着剤等を使用して該連結部７と支持梁３ａとを連結させても良いことは勿論である。
【００２７】
図５（ａ）には、背面パネル４の斜視図を示し、図５（ｂ）には、背面パネル４の平面図を示してある。背面パネル４の表面には、凸状の補強部１４が形成されている。
【００２８】
背面パネル４の両側部１５ａ、１５ｂは、該背面パネル４の全体の肉厚と比較して、その厚さを稍肉薄に形成させている。前記支持梁３ａ、３ｂの脚部１１に沿って形成された溝部１２は、該背面パネル４の両側部１５ａ、１５ｂの厚さよりも稍幅を広くして形成されている。
【００２９】
そのため、支持梁３ａ、３ｂの脚部１１に形成された溝部１２に沿って、背面パネル４の両側部１５ａ、１５ｂをスライドさせて差し込むことができるようになり、該背面パネル４を支持梁３ａ、３ｂの間に容易に配設させることができ、また、該支持梁３ａ、３ｂの間に配設された背面パネル４がガタつくことがないのである。
【００３０】
図６には、コンクリートブロック１を複数段積み上げた場合の側面図を示し、図７には、コンクリートブロック１を複数段積み上げた場合の正面図を示してある。コンクリートブロック１を使用して河川の土手、崖または盛り土の側面等の法面の擁壁を構築する場合には、該法面の表面側の地中１６に基礎コンクリート１７、例えば、いわゆるべた基礎等を形成させる。
【００３１】
この基礎コンクリート１７の上部に複数のコンクリートブロック１の正面パネル２を隣接させて配設させ、該正面パネル２の連結部７に支持梁３ａ、３ｂを配設して、該正面パネル２と支持梁３ａ、３ｂとを連結させる。
【００３２】
支持梁３ａ、３ｂの間には、背面パネル４を該支持梁３ａ、３ｂの溝部１２に沿ってスライドさせて配設させる。その際、該背面パネル４は、１つのコンクリートブロック１の支持梁３ａ、３ｂの間のみならず、隣接したコンクリートブロック１の支持梁３ａ、３ｂの間にも、該支持梁３ａ、３ｂの溝部１２に沿ってスライドさせて配設させる。
【００３３】
このように、コンクリートブロック１を正面パネル２と、支持梁３ａ、３ｂと、背面パネル４とに分割させて形成したことにより、１つ１つの部材を小型・軽量化することができるので、小型の重機を使用して擁壁を構築することができ、また、コンクリートブロック１を一体で形成させた場合と比較して、それぞれが別部材であるため、嵩張ることがなく、運搬作業が容易になるのである。
【００３４】
そして、基礎コンクリート１７の上部に、下部列のコンクリートブロック１を複数配設させた状態で、該コンクリートブロック１の内側、即ち、正面パネル２と、背面パネル４との間にコンクリートを打設し、コンクリートブロック１による１段目の擁壁を構築する。
【００３５】
この際、例えば、正面パネル２に後方への力が加えられた場合であっても、支持梁３ａ、３ｂがコンクリートで形成されているため、該正面パネル２を安定して支持することができる、つまり、支持梁３ａ、３ｂによる正面パネル２の支持が弛むことがないので、法面崩壊の防止を安定して維持することができるのである。
【００３６】
コンクリートブロック１により構築された１段目の擁壁と、法面との間には、図示していない砕石等を配設させておくと良い。
【００３７】
２段目のコンクリートブロック１による擁壁を構築する場合には、前記１段目の正面パネル２の上部側に形成された位置合わせ用の凸部９に、２段目の正面パネル２の下部側に形成された凹部１０を合わせて嵌合させる。
【００３８】
このように、正面パネル２の上部側の凸部９と、下部側の凹部１０とを嵌合させることにより、前述したように、積み上げた正面パネル２を所定位置に容易に配設させることができると共に、それぞれの正面パネル２がズレないように係止できるので、コンクリートブロック１が安定するのである。
【００３９】
この２段目の正面パネル２は、前記１段目の正面パネル２の真上に配設させても良いが、例えば、図７に示したように、１段目の正面パネル２と正面パネル２の間、即ち、正面パネル２の横方向に対して半幅分ずつずらして配設させても良い。
【００４０】
２段目の正面パネル２には、前記１段目のコンクリートブロック１を構築する場合と同様にして、該正面パネル２に支持梁３ａ、３ｂを連結させ、該支持梁３ａ、３ｂの間に背面パネル４を配設し、コンクリートブロック１の内部にコンクリートを打設し、コンクリートブロック１による２段目の擁壁を構築する。
【００４１】
この際、積み上げられたコンクリートブロック１の支持梁３ａ、３ｂの脚部１１は、該コンクリートブロック１の下側に配設された支持梁３ａ、３ｂの水平部６の上部に配設されるため、前記コンクリートブロック１を安定した状態で積み上げることができるのである。
【００４２】
３段目以降のコンクリートブロック１による擁壁を構築する場合には、前記２段目のコンクリートブロック１による擁壁を構築する場合と同様の作業を繰り返すことにより、法面の擁壁の全体を構築させることができる。
【００４３】
コンクリートブロック１の正面パネル２と、支持梁３ａ、３ｂとは、図に示したように、下部側に対して上部側を後方、即ち、該支持梁３の脚部１１が形成されている方向に所定角度、例えば、河川の土手、崖または盛り土の側面等の法面１８の角度と同程度に傾けて形成させても良い。
【００４４】
このように、正面パネル２と、支持梁３ａ、３ｂとを下部側に対して上部側を後方に所定角度傾けて形成させることにより、コンクリートブロック１を複数段積み上げた際に、積み上げられた正面パネル２の正面側が自然な傾斜に見えるのである。
【００４５】
また、図７に示したように、積み上げるコンクリートブロック１における支持梁３ａ、３ｂの水平部６の長さは、該コンクリートブロック１の下側に配設された支持梁３ａ、３ｂの水平部６の長さより短く形成させても良い。
【００４６】
本発明の第２の実施の形態に係るコンクリートブロックの正面パネル２２の正面図を図８（ａ）に示し、正面パネル２２の側面図を図８（ｂ）に示してある。なお、この第２の実施の形態においては、前記第１の実施の形態の平面状に形成された正面パネル２の正面を割石模様にしたものであり、その他の構成については、前記第１の実施の形態と同一であり、説明が重複するため、該第１の実施の形態と同一のものについては同一の符号を付し、その説明については省略する。
【００４７】
この第２の実施の形態に示したように、正面パネル２２の正面は、コンクリートブロック１を自然と調和させるように、例えば、該正面パネル２の正面に割石模様の立体面２３等を形成させても良い。この場合、割石模様の立体面２３は、該立体面２３に割石等を埋め込んで形成することを含むものである。
【００４８】
【発明の効果】
以上説明したように、本発明に係るコンクリートブロックは、擁壁用のコンクリートブロックであって、正面パネルと、少なくとも２つの支持梁と、背面パネルとからなり、該正面パネルの背面側に少なくとも２つの連結部を形成し、該連結部のそれぞれに前記支持梁を連結させ、該連結させた支持梁と支持梁との間に前記背面パネルを配設させる構成にしたことにより、コンクリートブロックを正面パネルと、支持梁と、背面パネルとの部材に分割して、その１つ１つの部材として小型・軽量化することができるため、小型の重機を使用して擁壁を構築することができ、コンクリートブロックを一体で形成させた場合と比較して、それぞれが別部材であるため、嵩張ることがなく、運搬作業が容易になると共に、これら正面パネルと、支持梁と、背面パネルとをコンクリートで形成したことにより、経時的な変化があったとしても支持梁により正面パネルを確実に支持して安定させ、法面崩壊の防止を安定して維持することができるという優れた効果を奏する。
【図面の簡単な説明】
【図１】本発明の第１の実施の形態に係るコンクリートブロックを略示的に示した斜視図である。
【図２】（ａ）は、同コンクリートブロックの正面パネルを略示的に示した斜視図であり、（ｂ）は、同正面パネルを略示的に示した側面図である。
【図３】（ａ）は、同コンクリートブロックの支持梁を略示的に示した平面図であり、（ｂ）は、同支持梁を略示的に示した側面図である。
【図４】同コンクリートブロックを略示的に示した側面図である。
【図５】（ａ）は、同コンクリートブロックの背面パネルを略示的に示した下側からみた斜視図であり、（ｂ）は、同背面パネルを略示的に示した平面図である。
【図６】同コンクリートブロックを複数段積み上げた場合を略示的に示した側面図である。
【図７】同コンクリートブロックを複数段積み上げた場合を略示的に示した正面図である。
【図８】（ａ）は、本発明の第２の実施の形態に係るコンクリートブロックの正面パネルを略示的に示した正面図であり、（ｂ）は、同正面パネルを略示的に示した側面図である。
【符号の説明】
１  コンクリートブロック
２、２２  正面パネル
３ａ、３ｂ  支持梁
４  背面パネル
５、１１  脚部
６  水平部
７  連結部
８  ボルト用の穴部
９  凸部
１０  凹部
１２  溝部
１３  ボルト用の孔部
１４  凸状の補強部
１５ａ、１５ｂ  両側部
１６  地中
１７  基礎コンクリート
１８  法面
１９  ボルト
２３  割石模様の立体面
【図１】
2004308269.tif 000003
【図２】
2004308269.tif 000004
【図３】
2004308269.tif 000005
【図４】
2004308269.tif 000006
【図５】
2004308269.tif 000007
【図６】
2004308269.tif 000008
【図７】
2004308269.tif 000009
【図８】
2004308269.tif 000010